(57)【要約】【課題】効果的に振動スピーカと振動板の間の密着性を増して、振動の伝達や発声機能を高めることが可能な振動スピーカの固定装置を提供する。【解決手段】振動スピーカに固定又は押圧された少なくとも１つの締結プレートと、対応する締結プレートに固設された少なくとも１つの吸盤とを含む。前記吸盤が振動板に吸着されると、前記吸盤は締結プレートを振動スピーカに押し付けて、振動スピーカの底部が振動板に密着可能となる。【選択図】図１Ｂ
2013138396.tif 000002
【特許請求の範囲】
【請求項１】
振動スピーカに固定又は押圧された少なくとも１つの締結プレートと、
対応する締結プレートに固設された少なくとも１つの吸盤と、
を含み、前記吸盤が振動板に吸着されると、前記吸盤は締結プレートを振動スピーカに押し付けて、振動スピーカの底部が振動板に密着可能となることを特徴とする振動スピーカの固定装置。
【請求項２】
前記締結プレートは硬い素材又は可撓性材料を含むことを特徴とする請求項１に記載の振動スピーカの固定装置。
【請求項３】
前記吸盤は弾性盤と軸部を含み、前記締結プレートは前記吸盤の軸部に対応する位置に前記対応する吸盤を固定するための締結部を設けることを特徴とする請求項１に記載の振動スピーカの固定装置。
【請求項４】
前記締結部は前記締結プレートを通す穴で、前記吸盤の軸部を貫通させて、前記吸盤を前記締結プレートに固定するため、ピンで前記軸部を貫通することを特徴とする請求項３に記載の振動スピーカの固定装置。
【請求項５】
前記締結部は前記締結プレートを通す穴で、前記吸盤の軸部を貫通させ、前記軸部の頂端は凸部状となって、前記吸盤が前記締結プレートに固定可能となることを特徴とする請求項３に記載の振動スピーカの固定装置。
【請求項６】
前記締結部は前記締結プレートを通す穴で、前記軸部と前記締結部が対応する表面に前記吸盤を前記締結プレートに螺合するためのネジ山を設けることを特徴とする請求項３に記載の振動スピーカの固定装置。
【請求項７】
前記吸盤の前記軸部は前記締結部に一体成形されることを特徴とする請求項３に記載の振動スピーカの固定装置。
【請求項８】
前記締結プレートの両端にそれぞれ前記締結部を設け、前記各締結部は対応する前記吸盤を有することを特徴とする請求項３に記載の振動スピーカの固定装置。
【請求項９】
前記締結プレートは前記締結部の他端に対向して前記振動スピーカの側部又は頂部に固定されることを特徴とする請求項３に記載の振動スピーカの固定装置。
【請求項１０】
前記吸盤は更に、
前記弾性盤をカバーし、中央に開口を有して前記軸部が前記吸盤カバーを貫通する吸盤カバーと、
一端に回転軸を有して前記軸部に穿設されたプレス部材と、
前記回転軸に固定された凸部と、
を含み、前記プレス部材が圧下されると、前記凸部が前記吸盤カバーに当接することによって、前記軸部が上向きになることを特徴とする請求項３に記載の振動スピーカの固定装置。
【請求項１１】
前記吸盤は更に前記弾性盤の底部辺縁に設けられた縁を含むことを特徴とする請求項１０に記載の振動スピーカの固定装置。
【請求項１２】
前記締結プレートに設けられ、前記振動スピーカ底部と前記振動板の間の距離や接触力を調整するための調整構造を更に含むことを特徴とする請求項１に記載の振動スピーカの固定装置。
【請求項１３】
前記調整構造は調整ネジと、前記締結プレートに設けられた対応する調整ネジ孔を含み、前記調整ネジが前記締結プレートにねじ込まれると、前記振動スピーカの頂部を締め付けることによって、前記振動スピーカ底部と前記振動板の間の距離が縮小、或いは両者間の接触力が強化されることを特徴とする請求項１２に記載の振動スピーカの固定装置。
【請求項１４】
前記締結プレートは少なくとも２つの前記締結プレートを含み、前記各締結プレートは単一の前記吸盤を対応するように設けることを特徴とする請求項１に記載の振動スピーカの固定装置。
【請求項１５】
前記締結プレートは少なくとも３つの前記締結プレートを含み、前記３つの締結プレートの第１端は一緒に固着されて前記振動スピーカに固定若しくは押圧され、前記３つの締結プレートの第２端はそれぞれ単一の前記吸盤を対応するように設けることを特徴とする請求項１に記載の振動スピーカの固定装置。
【請求項１６】
前記締結プレートの第２端の連接位置に設けられた手持ち部を更に含むことを特徴とする請求項１５に記載の振動スピーカの固定装置。
【発明の詳細な説明】
【技術分野】
【０００１】
本発明は、振動スピーカの固定装置に関し、より詳しくは、吸盤式の吸着装置に関する。
【背景技術】
【０００２】
スピーカ（SPEAKER）は電子信号を音波に変換するための変換装置である。公知の可動コイル型スピーカの体積は嵩張り、消費電力が大きく、しかも磁気妨害を受け易く、ダウンサイジングやポータブルな電子装置には適さない。このため、近年、圧電型の振動スピーカが打ち出されて、公知の可動コイル型スピーカに取って代わった。
【０００３】
振動スピーカは、発生した振動が振動板に伝達され、これを発声させるための振動板に接触固定される必要がある。公知の振動スピーカは磁石、塑性粘土、ポリウレタン（polyurethane、 PU）ゲル、又は吸盤が使用され、振動スピーカを振動板上に固定するため、振動スピーカの底部に設けられる。
【発明の概要】
【発明が解決しようとする課題】
【０００４】
然しながら、前述した従来の技術では、こうした固定構造は振動エネルギーを吸收するので、発声機能が低下する。また、上記の公知の振動スピーカの固定構造はさほど強固でないため、振動スピーカがとれてしまうことがよく起こる。
【０００５】
本発明は、このような従来の問題に鑑みてなされたものである。上記課題解決のため、本発明は、効果的に振動スピーカと振動板の間の密着性を強化して、振動の伝達や発声機能を高めることが可能な振動スピーカの固定装置を提供することを主目的とする。
【課題を解決するための手段】
【０００６】
上記の課題を解決し、目的を達成するために、本発明に係る振動スピーカの固定装置は、前記振動スピーカに固定又は押圧された少なくとも１つの締結プレートと、対応する締結プレートに固設された少なくとも１つの吸盤とを含み、前記吸盤が振動板に吸着されると、前記吸盤は締結プレートを振動スピーカに押し付けて、振動スピーカの底部が振動板に密着可能となることを特徴とする。
【発明の効果】
【０００７】
本発明によれば、振動スピーカの発声機能を強化すると共に、振動スピーカと振動板の間の強度が高められる。
【図面の簡単な説明】
【０００８】
【図１Ａ】本発明の第１実施形態における振動スピーカの固定装置の分解透視図である。
【図１Ｂ】図１Ａの結合透視図である。
【図１Ｃ】可動・取外し式の吸盤の透視図である。
【図１Ｄ】別の可動・取外し式の吸盤の透視図である。
【図２Ａ】本発明の第１実施形態における変更形態の組合せ透視図である。
【図２Ｂ】本発明の第１実施形態における別の変更形態の組合せ透視図である。
【図３Ａ】本発明の実施形態における吸盤の断面図である。
【図３Ｂ】図３Ａのプレス部材が圧下された時の吸盤の断面図である。
【図４Ａ】本発明の第２実施形態における振動スピーカの固定装置の分解透視図である。
【図４Ｂ】図４Ａの結合透視図である。
【図５】本発明の第３実施形態における振動スピーカの固定装置の結合透視図である。
【図６Ａ】本発明の第３実施形態における変更形態の結合透視図である。
【図６Ｂ】本発明の第３実施形態における別の変更形態の結合透視図である。
【図７Ａ】本発明の第４実施形態における振動スピーカの固定装置の結合透視図である。
【図７Ｂ】本発明の第４実施形態における変更形態の結合透視図である。
【発明を実施するための形態】
【０００９】
以下に図面を参照して、本発明を実施するための形態について、詳細に説明する。なお、本発明は、以下に説明する実施形態に限定されるものではない。
【実施例】
【００１０】
まず、本発明の振動スピーカの固定装置の第１実施形態について説明する。
（第１実施形態）
本発明の第１実施形態の構成を図１Ａから図３Ｂに示す。図１Ａは本発明の第１実施形態における振動スピーカ１０の固定装置の分解透視図である。また、図１Ｂは図１Ａの結合透視図である。本明細書に記載の振動スピーカ１０は、駆動すると振動を生じて振動を振動板(図示せず) に伝達して音声を発することが可能なトランスデューサ(transducer)を含む。前記トランスデューサはスマート・マテリアル(smart material) を含み、圧電材料(piezoelectric material)、電気活性ポリマー(Electro-Active Polymer、 EAP)、形状記憶合金(Shape Memory Alloy、 SMA)、磁気歪み材料(Magnetostrictive Material)、電歪材料(Electrostrictive Material)等で差し支えない。
【００１１】
本実施形態の固定装置は締結プレート１１と少なくとも１つの吸盤(suction cup)１２を含む。締結プレート１１はプレート状でよいが、これに限定されない。締結プレート１１は硬い素材又は可撓性材料の使用が可能である。吸盤１２は弾性盤１２１と軸部１２２を含む。締結プレート１１が吸盤１２の軸部１２２に対応する位置に、吸盤１２を固定するための締結部１１１を設ける。
【００１２】
本実施形態では、締結部１１１は締結プレート１１を通す穴であり、吸盤１２の軸部１２２を貫通させて吸盤１２を締結プレート１１に固定させることができる。図１Ｂに示されるように、締結プレート１１の両端に各々締結部１１１を設け、２つの吸盤１２の軸部１２２がそれぞれ締結部１１１を貫通する。吸盤１２が振動板（図示せず）に吸着すると、締結プレート１１を動かして振動スピーカ１０の頂部を跨設して押圧することから、振動スピーカ１０が振動板に密着することができる。
【００１３】
本実施形態の吸盤１２と締結プレート１１の組合せは可動・取外し式でよい。図１Ｃは可動・取外し式の吸盤１２の透視図で、ピン１２７で吸盤１２を締結プレート１１に固定するための軸部１２２の穴を貫通する。図１Ｄは別の可動・取外し式の吸盤１２の透視図で、軸部１２２の頂端が凸部状となっており、吸盤１２を締結プレート１１に固定することができる。図１Ｃと図１Ｄに示された他に、吸盤１２と締結プレート１１は他の可動・取外し式を使用することも可能である。例えば、軸部１２２と締結部１１１が対応する表面に、吸盤１２を締結プレート１１に螺合するためのネジ山（図示せず）を設ける。
【００１４】
本実施形態における吸盤１２と締結プレート１１の組合せは、可動・取外し式でなくてもよく、吸盤１２の軸部１２２は締結部１１１に一体で成形する。
【００１５】
図２Ａは本発明の第１実施形態における変更形態の組合せの透視図である。この実施形態では、単一の吸盤１２のみを使用し、吸盤１２が振動板（図示せず）に吸着すると、締結プレート１１の底面を振動スピーカ１０の頂部に押し付けることで、振動スピーカ１０が振動板に密着することができる。
【００１６】
図２Ｂは本発明の第１実施形態における別の変更形態の組合せの透視図である。この実施形態では、やはり単一の吸盤１２を使用するものの、締結プレート１１は締結部１１１の一端に対向して振動スピーカ１０の側部に固定される。吸盤１２が振動板（図示せず）に吸着すると、締結プレート１１の一端が振動スピーカ１０の側部から施力することで、振動スピーカ１０は振動板に密着することができる。また、こうした側辺を固定する方法は全体の高さを効果的に下げることも可能である。
【００１７】
図３Ａは本発明の実施形態における吸盤１２の断面図である。本実施形態における吸盤１２は弾性盤１２１と軸部１２２を含む他に、さらに吸盤カバー１２３、プレス部材１２４、及び凸部１２５を含んでもよい。吸盤カバー１２３は弾性盤１２１をカバーする。吸盤カバー１２３の中央には開口があり、軸部１２２が吸盤カバー１２３を貫通して弾性盤１２１の頂部に連接される。プレス部材１２４の一端には軸部１２２に穿設された回転軸１２４１を備え、凸部１２５は回転軸１２４１に固定される。図３Ｂに示されるように、プレス部材１２４が圧下されると、凸部１２５が吸盤カバー１２３に当接することで、軸部１２２が上向いて弾性盤１２１を上向きに引っ張る。
このようにして、吸盤１２と振動板の間のスペースが大きくなり、吸盤１２内の圧力が小さくなることで、吸盤１２の吸着力が強化される。また、吸盤１２は弾性盤１２１の底部の辺縁にさらに縁１２６が設けられ、縁１２６を引っ張ると、吸盤１２外部のエアが進入して吸盤１２内の圧力が高まり（即ち、吸盤１２の吸着力が弱まる）、吸盤１２を振動板の表面から取るのに役立つ。
【００１８】
次は、本発明の振動スピーカの固定装置の第２実施形態について説明する。
（第２実施形態）
図４Ａは本発明の第２実施形態における振動スピーカ１０の固定装置の分解透視図である。図４Ｂは図４Ａの結合透視図である。本実施形態は第１実施形態に類似しているが、相違点は、本実施形態は振動スピーカ１０底部と振動板（図示せず）の間の距離や接触力を調整するための調整構造を更に含むことにある。本実施形態では、前記調整構造は調整ネジ１３と締結プレート１１に設けられた対応する調整ネジ孔１１２を含む。図４Ｂに示されるように、調整ネジ孔１１２の位置は振動スピーカ１０の中央位置に設けることができるが、これに限定されない。調整ネジ１３が締結プレート１１にねじ込まれると、振動スピーカ１０の頂部を締め付けるので、振動スピーカ１０底部と振動板の間の距離を縮小し、或いは、両者間の接触力を強化して、振動スピーカ１０の力学的エネルギーを効果的に振動板に伝達して、音声の音量や品質を高める。
【００１９】
次は、本発明の振動スピーカの固定装置の第３実施形態について説明する。
（第３実施形態）
図５は本発明の第３実施形態における振動スピーカ１０の固定装置の結合透視図である。本実施形態は第１実施形態（図１Ｂ）に類似しているが、相違点は、本実施形態は２つの締結プレートを使用していることにあり、つまり、第１締結プレート１１Ａと第２締結プレート１１Ｂであるが、これらが図２Ａに示された締結プレートに類似しており、それぞれ振動スピーカ１０の両側にある。第１締結プレート１１Ａと第２締結プレート１１Ｂはそれぞれ対応する吸盤を設け、即ち、第１吸盤１２Ａと第２吸盤１２Ｂである。第１／第２締結プレート１１Ａ／Ｂの底面を振動スピーカ１０の頂部に押し付けることで、振動スピーカ１０は振動板に密着可能である。
【００２０】
図６Ａは本発明の第３実施形態における変更形態の結合透視図である。この実施形態では、３つの締結プレート（即ち、第１締結プレート１１Ａ、第２締結プレート１１Ｂ、及び第３締結プレート１１Ｃ）と、対応する３つの吸盤（即ち、第１吸盤１２Ａ、第２吸盤１２Ｂ、及び第３吸盤１２Ｃ）を使用している。
【００２１】
図６Ｂは本発明の第３実施形態における別の変更形態の結合透視図である。この実施形態では、４つの締結プレート（即ち、第１締結プレート１１Ａ、第２締結プレート１１Ｂ、第３締結プレート１１Ｃ、及び第４締結プレート１１Ｄ）と、対応する４つの吸盤（即ち、第１吸盤１２Ａ、第２吸盤１２Ｂ、第３吸盤１２Ｃ、及び第４吸盤１２Ｄ）を使用している。図６Ａと図６Ｂで使用される締結プレートと吸盤の数は図５に比べて多いことから、一層効果的に振動スピーカ１０と振動板の間の密着性を強化することができる。
【００２２】
次は、本発明の振動スピーカの固定装置の第４実施形態について説明する。
（第４実施形態）
図７Ａは本発明の第４実施形態における振動スピーカ１０の固定装置の結合透視図である。本実施形態は図６Ａに示された固定装置に類似しているが、相違点は、本実施形態の３つの締結プレートが一体で製造されることにある。換言すると、３つの締結プレートの第１端が一緒に固着されて、振動スピーカ１０を固定したり押圧したりし、３つの締結プレートの第２端はそれぞれ吸盤１２Ａ／Ｂ／Ｃを固設する。また、本実施形態は更に手持ち部１４を含み、例えば、締結プレート１１の頂部中央（即ち、３つの締結プレートが連接する位置）に設けられ、締結プレート１１の取り出しに便利である。
【００２３】
図７Ｂは本発明の第４実施形態における変更形態の結合透視図である。本実施形態は図６Ｂに示された固定装置に類似しているが、相違点は、本実施形態の４つの締結プレートが一体で製造されることにある。換言すると、４つの締結プレートの一端が一緒に固着され、４つの締結プレートの他端にはそれぞれ吸盤１２Ａ／Ｂ／Ｃ／Ｄを固設する。また、本実施形態は更に手持ち部１４を含み、例えば、締結プレート１１の頂部中央（即ち、４つの締結プレートが連接する位置）に設けられ、締結プレート１１の取り出しに便利である。
【００２４】
上記の実施形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００２５】
１０      振動スピーカ
１１      締結プレート
１１Ａ    第１締結プレート
１１Ｂ    第２締結プレート
１１Ｃ    第３締結プレート
１１Ｄ    第４締結プレート
１１１    締結部
１１２    調整ネジ孔
１２      吸盤
１２Ａ    第１吸盤
１２Ｂ    第２吸盤
１２Ｃ    第３吸盤
１２Ｄ    第４吸盤
１２１    弾性盤
１２２    軸部
１２３    吸盤カバー
１２４    プレス部材
１２４１  回転軸
１２５    凸部
１２６    縁
１２７    ピン
１３      調整ネジ
１４      手持ち部
【図１Ａ】
2013138396.tif 000003
【図１Ｂ】
2013138396.tif 000004
【図１Ｃ】
2013138396.tif 000005
【図１Ｄ】
2013138396.tif 000006
【図２Ａ】
2013138396.tif 000007
【図２Ｂ】
2013138396.tif 000008
【図３Ａ】
2013138396.tif 000009
【図３Ｂ】
2013138396.tif 000010
【図４Ａ】
2013138396.tif 000011
【図４Ｂ】
2013138396.tif 000012
【図５】
2013138396.tif 000013
【図６Ａ】
2013138396.tif 000014
【図６Ｂ】
2013138396.tif 000015
【図７Ａ】
2013138396.tif 000016
【図７Ｂ】
2013138396.tif 000017